(57)【要約】【課題】レジスタエラーによって生じた妨害となる効果を最小化又は除去することができる有効且つ簡単な方法を提供すること。【解決手段】中央画点及びマーキングされた隣接点の色分解値から夫々の濃度値を特定し、中央画点及びマーキングされた隣接点に対して夫々最も濃度の高い色分解を特定し、中央画点とマーキングされた隣接点の各濃度値の比較、及び、中央画点とマーキングされた隣接点の最も濃度の高い各色分解の比較によって、濃度値が中央画点の濃度値よりも小さい点であり、且つ、最も濃度の高い色分解が中央画点の最も濃度の高い色分解に等しくない点だけを選択し、更に、中央画点の色分解値を、選択された点の各色分解値から算出されたトラッピング色の各色分解値と比較し、比較結果に依存して、中央画点の色分解値を変える。【選択図】図７
2007089189.tif 000002
【特許請求の範囲】
【請求項１】
デジタル画像データの形式での印刷ページのトラッピング輪郭の形成方法であって、その際、印刷機でのレジスタエラーによる障害となる作用を小さくし、その際、ウィンドウを、画点毎に印刷ページの画像データに亘って動かし、前記ウィンドウに、中央画点（７）及び後続処理のためにマーキングされた隣接点（８）を含む方法において、
前記中央画点（７）及び前記マーキングされた隣接点（８）の色分解値から前記中央画点（７）の濃度値と、前記マーキングされた隣接点（８）の濃度値とを特定し、
前記中央画点（７）に対して最も濃度の高い（暗い）色分解を特定し、及び、前記マーキングされた隣接点（８）に対して最も濃度の高い（暗い）色分解を特定し、
前記中央画点（７）の濃度値と前記マーキングされた隣接点（８）の濃度値との比較、及び、前記中央画点（７）の最も濃度の高い（暗い）色分解と前記マーキングされた隣接点（８）の最も濃度の高い（暗い）色分解との比較によって、
濃度値が前記中央画点（７）の濃度値よりも小さい点であり、且つ、最も濃度の高い（暗い）色分解が前記中央画点（７）の最も濃度の高い（暗い）色分解に等しくない点だけを選択し、
更に、前記中央画点（７）の色分解値を、前記選択された点の各色分解値から算出されたトラッピング色の各色分解値と比較し、
当該比較結果に依存して、前記中央画点（７）の色分解値を変える
ことを特徴とする方法。
【請求項２】
トラッピング色の色分解値を、選択された点の相応の色分解値の平均値として算出する請求項１記載の方法。
【請求項３】
中央画点（７）の色分解値を、前記中央画点（７）の前記色分解値が、前記トラッピング色の相応の色分解値に依存する第１の限界値を下回る場合に、及び、前記第１の限界値が所定の第２の限界値を上回る場合に限って変える請求項１又は２記載の方法。
【請求項４】
中央画点（７）の黒色分解値が所定限界値を超過した場合、中央画点（７）の残りの色分解値を、トラッピング色の相応の色分解値によって代替する請求項１から３迄の何れか１記載の方法。
【請求項５】
中央画点（７）の色分解値を変え、その際、該色分解値を、リダクションファクタだけ低減された、トラッピング色の相応の色分解値によって代替する請求項１から４迄の何れか１記載の方法。
【発明の詳細な説明】
【技術分野】
【０００１】
本発明は、複製技術でのデジタル画像処理の領域に関し、印刷ページのトラッピング輪郭の形成方法に関する。
【背景技術】
【０００２】
そのようなトラッピング輪郭は、印刷機でのレジスタエラーにより生じる障害を小さくするのに使用され、即ち、このエラーが生じると、印刷インキが正確に合同に重ねられて印刷されず、相互にずれる。複製技術では、印刷ページ用の版下が形成され、この版下は、テキスト、グラフィックオブジェクト及び画像のような、印刷すべき要素全てを含む。版下を電子的に形成する場合、これらの各要素はデジタルデータの形式で形成される。画像の場合、例えば、画像がスキャナで点状及び線状にスキャンされ、各画点が各色成分つまり色分解値に分解され、これらの各成分の色値がデジタル化されたデータが形成される。テキスト及びグラフィックオブジェクト用のデータは、一般的にテキスト処理プログラム及び記号プログラムによって直接コンピュータ内で形成される。事後に使用される出力プロセスに応じて、例えば、カラープリンタでの出力、又は、通常の印刷機での印刷に応じて、各ページ要素用の各データが、色成分、赤、緑及び青（ＲＧＢ）又は４色印刷機の印刷色では、シアン、マゼンタ、黄色、及び黒（ＣＭＹＫ）が形成されて、記憶される。各印刷色は、カラープリンタ乃至印刷機で重ねて被印刷物（例えば、紙）上に印刷される。
【０００３】
別の作業工程では、デジタル化されたテキスト、グラフィックオブジェクト、画像が処理ステーションで、視制御下で、カラーモニタ上で多様な形式でレイアウトの基準に応じて処理され、例えば、色補正され、又は、配列及び形状が変えられ、最後に印刷ページに組み立てられる。それから、各印刷ページデータは、出力に適したデータフォーマット、例えば、ページ記述言語PostScriptに変換され、記憶される。その際、印刷色ＣＭＹＫの各々に対して、別個の印刷ページデータが形成され、この印刷ページデータは、色分解データとも呼ばれる。この色分解データは、フィルム乃至プレートレコーダを用いて高い分解能でフィルム材料上又は直接版板上に記録される。版板なしに作動するデジタル印刷機もある。この場合、色分解データは、直接デジタル印刷機に伝送され、そこで被印刷物上に印刷される。
【発明の開示】
【発明が解決しようとする課題】
【０００４】
印刷技術での問題点は、印刷機でのレジスタエラーであり、即ち、紙が順次送給される印刷機構で、印刷色が正確に合同に重ねて印刷されず、少し相互にずらされることによって生じるエラーである。このエラーについて、赤い円が黒い背景面内に印刷される簡単な例で説明する。図１ａ及び１ｂには、色分解Ｙ及びＭが示されており、この色分解を重ねて印刷することにより、赤い円が形成され、図１ｃには、黒い背景面の色分解Ｋが示されており、この背景面内に円が開けられている。図２には、色分解Ｙ、Ｍ及びＫが印刷機で正確に重ねて印刷された場合の印刷結果が示されている。色分解Ｙ及びＭは、色分解Ｋ内の、開けられた円面を完全に占めている。図３には、印刷機でレジスタエラーが生じている場合の印刷結果が示されている。この例では、色分解Ｋが色分解Ｙ及びＭに対して右上側にずらされており、その結果、色分解Ｙ及びＭは、色分解Ｋ内に開けられた円面を完全に占めず、印刷されていない帯状部（１）が形成される。印刷されていない帯状部（１）は、紙の色であり、即ち、一般的には、白色であり、赤色と黒色との間では非常に目立ち、障害として感じられる。色分解がずれることにより、帯状部（２）も生じてしまい、そこでは、全部で３つの色分解Ｙ，Ｍ及びＫが重ねて印刷される。ここでは、比較的明るい色Ｙ及びＭが濃度の高い（暗い）色Ｋ上に印刷されるので、この帯状部（２）は、印刷結果では障害とはならない。図３では、分かり易くするために、各色分解は非常に強くずらされて示されている。しかし、ずれが僅かな場合でも（実際の印刷業務で生じるように）、それにより生じる、印刷されていない帯状部が非常に障害となり、このエラーを除去又は低減するために対抗手段を講ずる必要がある。
【０００５】
本発明の課題は、ずれが僅かな場合でも（実際の印刷業務で生じるように）、それにより生じる、印刷されていない帯状部が非常に障害となるエラーを除去又は低減するために対抗手段を講じて、レジスタエラーによって生じた妨害となる効果を最小化又は除去することができる有効且つ簡単な方法を提供することにある。
【課題を解決するための手段】
【０００６】
この課題は、本発明によると、中央画点及びマーキングされた隣接点の色分解値から中央画点の濃度値と、マーキングされた隣接点の濃度値とを特定し、中央画点に対して最も濃度の高い（暗い）色分解を特定し、及び、マーキングされた隣接点に対して最も濃度の高い（暗い）色分解を特定し、中央画点の濃度値とマーキングされた隣接点の濃度値との比較、及び、中央画点の最も濃度の高い（暗い）色分解と前記マーキングされた隣接点の最も濃度の高い（暗い）色分解との比較によって、濃度値が中央画点の濃度値よりも小さい点であり、且つ、最も濃度の高い（暗い）色分解が中央画点の最も濃度の高い（暗い）色分解に等しくない点だけを選択し、更に、中央画点の色分解値を、選択された点の各色分解値から算出されたトラッピング色の各色分解値と比較し、当該比較結果に依存して、中央画点の色分解値を変えることにより解決される。
【発明の効果】
【０００７】
レジスタエラーによって生じた妨害となる効果を最小化又は除去することができる有効且つ簡単な方法を提供することができる。
【実施例】
【０００８】
以下、本発明について図１〜９の図示の実施例を用いて詳細に説明する。
【０００９】
その際、
図１は、印刷例での色分解Ｙ、Ｍ及びＫを示す図、
図２は、印刷機でレジスタエラーのない場合の色分解Ｙ、Ｍ、Ｋの重ね印刷を示す図、
図３は、印刷機でレジスタエラーのある場合の色分解Ｙ、Ｍ、Ｋの重ね印刷を示す図、
図４は、色分解Ｙのトラッピングフレームを示す図、
図５は、任意の形のグラフィックオブジェクトのトラッピングフレームを示す図、
図６は、色面の境界の一部分でのトラッピングフレームを示す図、
図７は、マーキングされた各隣接点の種々の配置構成を示す図、
図８は、各隣接点の選択用の流れ図、
図９は、中央の画点の色分解値の変更用の流れ図、
及び
図１０は、本発明の実施例を示す図
である。
【００１０】
レジスタエラーによる既述のような障害となる作用を除去乃至低減するための手段は、印刷機での版板レジスタ乃至紙案内を一層正確に調整する手段である。しかし、これはコスト高であり、高価であり、改善された調整部は、以前のどんな印刷機にも補強して取り付けることはできない。
【００１１】
第２の手段としては、複製技術での色分解データの形成の際に所謂トラッピング（英語でtrapping）が用いられる。その際、幾つかの色分解では、トラッピングフレームが生じ、他の色分解では生じない。正確な色分解のトラッピングにより、印刷機でのレジスタエラーの際、グラフィックオブジェクトの更に十分な大きさのトラッピングが各色分解内に確実に存在するようになり、その結果、障害となるような、印刷されていない帯状部が形成されることはなくなる。どのような色分解の場合にトラッピングフレームが形成される必要があって、どのような色分解の場合にトラッピングフレームが形成される必要がないのかは、そのグラフィックオブジェクトの直接的な周囲環境内の各色に比較した、そのグラフィックオブジェクト内部の各色に依存する。その際、一般的な規則としては、比較的明るい色は、比較的濃度の高い（暗い）色に対してトラッピングされる。そうすることによって、輪郭が特定された比較的濃度の高い（暗い）色の輪郭は変えられず、重ねて印刷した場合に色分解が重畳するにも拘わらず、グラフィックオブジェクトの形状は見ている人にとっては（主観的には）維持され続ける。
【００１２】
図４には、図１の例からの色分解Ｙのトラッピングフレーム（３）が図示されており、即ち、この円は、幅ｗだけ大きい。色分解Ｙ及びＭ内の円が大きくなると、色分解Ｋ内の円面の開口は変わらないが、各色分解のずれの場合でも障害となる帯状部が形成されてしまう。トラッピングフレーム（３）の幅ｗは、予期される最大ずれをカバーするように、即ち、使用される印刷機の質及び使用年数に依存して選定される大きさである。
【００１３】
従来技術により形成されるトラップフレームは、複数のグラフィックオブジェクトが含まれていて相互に隣接している１印刷ページ内で先ず解析される。オブジェクトのタイプ及び色境界の両側の各色に依存して、各オブジェクトの内のどのオブジェクトがトラッピングフレームを有していて、トラッピングフレームのどの色を有しているか判定される。グラフィックオブジェクトの下側に、ここでは、任意のやり方で、複数色値で充填されている任意形状の面が形成されている。最も簡単な場合、面は、均等に一定の色で充填されている。この面は、色特性も有しているようにすることができ、即ち、所定の色領域内で各色が連続的に変化するようにすることができる。グラフィックオブジェクトは、サンプリングされた画像データ又は種々異なる色値のパターンも有することができる。色充填の形式により、グラフィックオブジェクトのタイプ、例えば、「均等に色が着けられた面」、「色特性」又は「画像」が決められる。米国特許第５１１３２４９号明細書には、そのような、従来技術のトラッピングフレームの形成方法が記載されている。そこでは、グラフィックオブジェクトのタイプは、「エリアタイプ("area type")」と呼ばれており、色境界の両側にある「エリアタイプ」に依存して、トラッピングフレームを形成する必要があるかどうか、両「エリアタイプ」のうちのどちらの「エリアタイプ」が処理される必要があるのか、及び、トラッピングフレームのどの色が形成される必要があるのか判定される。
【００１４】
従来技術の方法では、グラフィックオブジェクトのタイプは、印刷面及びその両境界に基づいて求められる必要がある。オブジェクト指向ページ記述言語、例えば、PostScriptで、印刷ページが定義されている場合、ページ記述の解析によって、前述のグラフィックオブジェクトのタイプが求められる。そのような方法は、米国特許第５２９５２３６号明細書に記載されている。印刷ページがオブジェクト指向記述で形成されておらず、例えば、各画点のマトリックスとして形成されている場合、グラフィックオブジェクト及びその境界は、パターン検出方法を用いて求められる。そのような方法は、非常に計算コスト高である。
【００１５】
別の計算コストは、従来技術による方法の場合、トラッピングフレーム自体の計算によって生じる。どのオブジェクトを充足する必要があるのか判定した後、そのオブジェクトの輪郭用に所定幅のフレームを算出する必要があり、その際、グラフィックオブジェクトの輪郭は、一般的に一連の曲線及び直線部分として形成される。このオブジェクトが、例えば、図５に示されているように、複雑な形状である場合、トラッピングフレームの算出はコスト高である。計算コストが更に増大するのは、グラフィックオブジェクトの境界全体にトラッピングフレームが設けられておらず、一部分しか設けられていない場合である。
【００１６】
図６には、グラフィックオブジェクト（４）の境界の一部分が、色面（５）によって囲まれており、残りの部分が、色面（６）によって囲まれている例が示されている。その際、例えば、色面（５）に接している境界の部分に対してだけ、トラッピングフレーム（３）が算出される。
【００１７】
ヨーロッパ特許公開第０５３９９５３号公報には、トラッピングフレームが、ライン状に印刷ページに亘って運動するウィンドウオペレータを用いて形成される方法が記載されている。その際、前提なのは、印刷ページ上に、種々異なる色が均等に充填されており（ブロックコピーイメージ）、その画点は、色番号によって特徴付けられている（領域番号）。色テーブルには、どの色が色番号に対応しているのか示されている。ウィンドウオペレータにより、画点が、種々異なったプライオリティが付けられたウィンドウ内で、種々異なった色番号を有しているかどうか検出される。画点が、種々異なったプライオリティが付けられたウィンドウ内で、種々異なった色番号を有している場合、及び、所定のプライオリティ規則が充足されている場合、そのウィンドウの中心内の画点には、新規な色番号が配属されている。印刷ページに亘ってウィンドウオペレータが複数回循環した後、初期の色領域の境界に、新規なフレーム状の色領域（新規な色番号を有する）が形成される。続いて、色テーブルが拡張され、その際、新規な色番号に同様に色が配属される。この方法は、印刷ページが排他的に一定色面であるグラフィックオブジェクトを含む場合に限って使用可能である。
【００１８】
従来技術の方法は全て、印刷ページ上で、所定のタイプに属するグラフィックオブジェクトが区別され、このオブジェクトの境界が求められ、この境界に各々１つのトラッピングフレームが形成される。その際、トラッピングフレームは、隣接オブジェクトの色及び／又はタイプに基づいて特定される、一定の色を有している。従来技術の方法では、サンプリングされた画像内で際だった色輪郭でトラッピングフレームは特定されない（そのような色輪郭でも、印刷機でのレジスタエラーによって生じる、妨害となる効果が生じることがあるにも拘わらず）。
【００１９】
本発明の課題は、トラッピングフレームの形成用の公知方法の欠点を回避すること、及び、印刷ページ内の色輪郭に、トラッピング輪郭を形成して、それにより、レジスタエラーによって生じた妨害となる効果を最小化又は除去することができる有効且つ簡単な方法を提供することにある。本発明の方法によると、印刷ページ上のグラフィックオブジェクト及びそのタイプの検出を前提とはしない。印刷ページ内の各色輪郭は、各グラフィックオブジェクト間の色境界が、サンプリングされた画像内の色輪郭であるかどうかに無関係に同様に加工される。課題は、特許請求の範囲１及び従属請求項２から５の要件によって解決される。
【００２０】
本発明の方法は、フィルタの種類に応じてウィンドウを用いて処理する（このウィンドウは、ライン毎、及び、各ライン内の画点毎に、印刷ページ全体に亘って移動される）。ウィンドウ内の各画点によって、後続処理用の所定の画点だけが設けられる。図７ａから図７ｅは、種々異なるフィルタウィンドウ用の例が示されている。各ウィンドウは、中央の画点（７）と、後続処理用に利用することができる、マーキングされた所定の隣接点（８）を有している。ウィンドウの残りの画点は、トラッピング輪郭の形成用に寄与しない。ウィンドウの各位置では、一連の計算を実行して、中央の画点（７）の色分解値が変えられるか、及び、その変え方について判定する。その後、ウィンドウは、１画点だけ更に動き、算出及び判定は、新規のウィンドウ位置で更に繰り返される。マーキングされた隣接点（８）の配置により、事後に形成されるトラッピング輪郭の幅が影響される。
【００２１】
第１のステップでは、中央の画点（７）に対して、重み付けされた濃度値ＤＺが示される。その際、中央の画点（ＣＺ，ＭＺ，ＹＺ，ＫＺ）の色分解値が、例えば、その主観的に感受される輝度に応じて重み付けされる。と言うのは、例えば、１００％黄色は、１００％シアンよりも明るく感受されるからである。同様に、１００％シアンは、１００％マゼンタよりも明るく感受され、１００％マゼンタは、１００％黒色よりも明るく感受される。重み付け係数としては、例えば、係数１がＹ用に決められ、係数３がＣ用に決められ、係数８がＫ用に決められる。それから、中央画点（７）の濃度値ＤＺが付加される：
ＤＺ＝３×ＣＺ＋ＭＺ＋１×ＹＺ＋８×ＫＺ                （１）
色分解値ＣＺ＝２０％、ＭＺ＝４０％、ＹＺ＝５０％、ＫＺ＝１０％により、例えば、濃度値ＤＺ＝６０＋１６０＋５０＋８０＝３５０が得られる。
【００２２】
直ぐ次のステップでは、中央画点（７）の最も濃度の高い（暗い）色分解ＳＺが決められ、即ち、濃度値ＤＺに対する最大成分に寄与する色分解が決められる。上述の例では、マゼンタは、濃度値ＤＺに最大成分を有しており、即ち、最も濃度の高い（暗い）色分解ＳＺはマゼンタである。
【００２３】
直ぐ次のステップは、図８に流れ図として示されている。先ず、中央画点（７）の濃度値ＤＺが限界値Ｄｍｉｎを超過しているかどうか検査される。限界値Ｄｍｉｎとして、例えば、最大可能濃度値の１０％の値を決めることができる。限界値Ｄｍｉｎが超過されない、即ち、中央画点が、この個所でレジスタエラーによる障害が生じることがないように明るい場合、ウィンドウは、即座に計算なしに、その直ぐ次の位置に動く。そうでない場合、図８にＮｉで示されている、マーキングされた全ての隣接点（８）に対して、濃度値ＤＮ及び最も暗の色分解ＳＮの列が特定される。中央画点の濃度値ＤＺが隣接点の濃度値ＤＮよりも大きくて、付加的に、中央画点の暗の色分解と、隣接画点の暗の色分解とが同じでない場合に限って、相応の隣接点が後続処理のために選択される。この条件下に限って、レジスタエラーの場合に定格値で可視の障害が発生することがある。続いて、そのようにして選択された隣接点Ｎｉの色値から、トラッピング色（ＣＴ，ＭＴ，ＹＴ，ＫＴ）が算出される。しかし、このトラッピング色は、任意の他の式に応じて特定してもよい。本発明の方法にとっては、トラッピング色が、選択された隣接点Ｎｉの色を示すという点が重要にすぎない。後続処理用に隣接点が選択されない場合、トラッピング色も計算されず、ウィンドウは、その直ぐ次の位置に移動する。
【００２４】
中央画点（７）の色分解値が変えられるかどうか、及び、その変え方について判定される後続のステップが、図９に流れ図として示されている。先ず、中央画点の黒の色分解値ＫＺが限界値ＮＥＡＲ＿ＢＬＡＣＫ、例えば、最大可能色分解値の９０％よりも小さく決めることができるかどうか検査される。ＫＺが限界値よりも小さくない場合、即ち、中央画点が殆ど完全に黒色である場合、中央画点の残りの色分解値ＣＺ，ＭＺ，ＹＺは、トラッピング色の相応の値ＣＴ，ＭＴ，ＹＴによって代替される。続いて、ウィンドウが、その直ぐ次の位置に移動する。
【００２５】
ＫＺが限界値ＮＥＡＲ＿ＢＬＡＣＫよりも小さい場合、中央画点の色分解値及び算出されたトラッピング色の列が検査され、それから、中央画点の色分解値が変えられるかどうか、及び、その変え方が導出される。この点について、シアン色分解の例で説明する。中央色点ＣＺの値がトラッピング色の１／２の値ＣＴよりも小さいかどうか、及び、それと同時に、トラッピング色の１／２の値ＣＴが、例えば、最大可能色分解値の１０％として決めることができる限界値ＮＥＡＲ＿ＷＨＩＴＥよりも大きいかどうか、検査される。正確に１／２値ＣＴが選択されるという点は、本発明にとっては重要ではない。中央画点での色分解値が、トラッピング色の相応の色分解値よりも明らかに小さいかどうか、及び、トラッピング色の色分解値が白値に過度に近くないかどうか検査されるにすぎない。両条件の内の一方が充足されない場合、中央画点内の色分解値を変えても「仕方ない」。と言うのは、その際、中央画点内の色分解値を変えても、殆ど所望の効果を奏さないからである。しかし、両条件が充足される場合に、中央画点の色分解値ＣＺが、トラッピング色の色分解値ＣＴとリダクションファクタＲとの乗算から得られた値によって代替される。リダクションファクタＲによって、形成されたトラッピング輪郭が、例えば、所定の１画像内で明瞭でなく可視であるようにすることができる。Ｒには、例えば、値０．７５が決められる。図９の流れ図から分かるように、中央画点及びトラッピング色の既述の検査、及び、他の色分解値用の中央画点の変化が同様に経過する。全ての色分解値の相応の処理後、ウィンドウは、続いて、その直ぐ次の位置に動き、既述の全ての流れステップが新規に実行される。
【００２６】
図１０には、本発明の方法が、もう一度、例を用いて説明されている。図１０ａには、使用されるウィンドウが示されており、このウィンドウ内には、選択のためにマーキングされた隣接画点が（ａ，ｂ，ｃ，ｄ，ｅ，ｆ，ｇ，ｈ）で示されている。分かり易くするために、この例では、色値は、色分解シアン及びマゼンタからのみ形成されているものとする。図１０ｂには、ウィンドウ内のシアン及びマゼンタの色分解値が示されている。その際、中央画点ＣＺ＝０，ＭＺ＝１００の値から、中央画点に対して、濃度値ＤＺ＝４００及び最も濃度の高い（暗い）色分解ＳＺ＝マゼンタが得られる。図１０のテーブルは、濃度値ＤＮ及び隣接点（ａ，ｂ，ｃ，ｄ，ｅ，ｆ，ｇ，ｈ）の最も濃度の高い（暗い）色分解ＳＮ、及び、図８の流れ図の基準に応じて、どの隣接点が後続の処理のために選択されるのかを示す。選択された隣接点から、トラッピング色ＣＴ＝６５，ＭＴ＝１００が平均値として算出される。図９の流れ図の基準に応じて、それから続いて変えられる、中央画点での色がＣＺ＿ｎｅｕ＝６５×Ｒ，ＭＺ＿ｎｅｕ＝１００になるように得られる。シアン値だけが変えられ、マゼンタ値は変えられない。と言うのは、ＭＺは、ＭＴ／２よりも小さくないからである。
【図面の簡単な説明】
【００２７】
【図１】印刷例での色分解Ｙ、Ｍ及びＫを示す図
【図２】印刷機でレジスタエラーのない場合の色分解Ｙ、Ｍ、Ｋの重ね印刷を示す図
【図３】印刷機でレジスタエラーのある場合の色分解Ｙ、Ｍ、Ｋの重ね印刷を示す図
【図４】色分解Ｙのトラッピングフレームを示す図
【図５】任意の形のグラフィックオブジェクトのトラッピングフレームを示す図
【図６】色面の境界の一部分でのトラッピングフレームを示す図
【図７】マーキングされた各隣接点の種々の配置構成を示す図
【図８】各隣接点の選択用の流れ図
【図９】中央の画点の色分解値の変更用の流れ図
【図１０】本発明の実施例を示す図
【符号の説明】
【００２８】
３  トラッピングフレーム
４  グラフィックオブジェクト
５  の境界の一部分が、色面
７  中央画点
８  隣接点
【図１】
2007089189.tif 000003
【図２】
2007089189.tif 000004
【図３】
2007089189.tif 000005
【図４】
2007089189.tif 000006
【図５】
2007089189.tif 000007
【図６】
2007089189.tif 000008
【図７】
2007089189.tif 000009
【図８】
2007089189.tif 000010
【図９】
2007089189.tif 000011
【図１０】
2007089189.tif 000012